(57)【要約】  【課題】  ディスポーザ排水専用立て管を設けることなく既設集合住宅にディスポーザ・排水処理システムを導入することができ、ディスポーザ排水の排水管が詰まりにより、他の排水源設備が使用できなくなる可能性を低下できるディスポーザ・排水処理システムを提供すること  【解決手段】  ディスポーザ・排水処理システム１は、洗面所３１等から排出される雑排水が流れる雑排水用主立て管４１を備える既設集合住宅２において、各住宅３は、一端が洗面所３１等に接続され他端が雑排水用主立て管４１に接続された雑排水用枝管４２と、一端が台所３６のディスポーザ３７に接続され、他端が雑排水用主立て管４１に接続されたディスポーザ排水用枝管４３とを備え、雑排水用主立て管４１の終端部から延出する横主管４４が接続された処理装置７でディスポーザ排水及び雑排水を浄化処理する。【選択図】  図１
2009189917.tif 000002
【特許請求の範囲】
【請求項１】
洗面所、風呂及び洗濯機から出る排水並びに掃除排水からなる雑排水が上から下へと流れる雑排水用主立て管を備える既設の集合住宅において、
各住宅は、一端が洗面所、風呂及び洗濯機並びに掃除排水の排水溝に接続され、他端が雑排水用主立て管に接続されており、雑排水が流れる雑排水用枝管と、一端が台所に設置され生ごみを破砕するディスポーザに接続され、他端が雑排水用主立て管に接続されており、ディスポーザ排水が流れるディスポーザ排水用枝管とを備え、
雑排水用主立て管の終端部から延出する横主管が接続する処理装置で、流入したディスポーザ排水及び雑排水を浄化処理することを特徴とするディスポーザ・排水処理システム。
【請求項２】
ディスポーザ排水用枝管は、雑排水用枝管とは独立して雑排水用主立て管に接続されていることを特徴とする請求項１に記載のディスポーザ・排水処理システム。
【請求項３】
洗面所、風呂及び洗濯機から出る排水並びに掃除排水からなる雑排水が上から下へと流れる雑排水用主立て管を備える既設の集合住宅において、
各住宅は、一端が洗面所、風呂及び洗濯機並びに掃除排水の排水溝に接続され、他端が雑排水用主立て管に接続されており、雑排水が流れる雑排水用枝管と、一端が台所に設置され生ごみを破砕するディスポーザに接続され、他端が雑排水用枝管に接続されており、ディスポーザ排水が流れるディスポーザ排水用枝管とを備え、
雑排水用主立て管の終端部から延出する横主管が接続する処理装置で、流入したディスポーザ排水及び雑排水を浄化処理することを特徴とするディスポーザ・排水処理システム。
【請求項４】
雑排水用主立て管の管径は、雑排水用枝管及びディスポーザ排水用枝管の管径より長いことを特徴とする請求項１乃至３のいずれかに記載のディスポーザ・排水処理システム。
【請求項５】
トイレ排水管に処理装置の処理排水管が接続されており、処理装置で処理された処理排水はトイレ排水管でトイレ排水と合流し、さらに処理排水とトイレ排水は公共下水道又は合併処理浄化槽へ放流されることを特徴する請求項１乃至４のいずれかに記載のディスポーザ・排水処理システム。
【請求項６】
処理装置は、流入してきたディスポーザ排水及び雑排水を貯留し、ポンプで送り出す流入ポンプ槽と、破砕された生ごみをディスポーザ排水及び雑排水から分離する除塵機及び／又は油脂をディスポーザ排水及び雑排水から分離する油脂分離槽と、ディスポーザ排水及び雑排水を浄化する排水処理槽とを有することを特徴とする請求項１乃至５のいずれかに記載のディスポーザ・排水処理システム。
【請求項７】
処理装置は、除塵機で分離したごみ及び／又は油脂分離槽で分離した油脂分を貯蔵又は処理するごみ・油脂分処理機をさらに有し、貯蔵又は処理されたごみ及び／又油脂分をディスポーザ・排水処理システム外に搬出できることを特徴とする請求項６に記載のディスポーザ・排水処理システム。
【請求項８】
ごみ・油脂分処理機は、濃縮槽、貯留槽、脱水機、微生物が棲息する多孔質の木片を充填した微生物分解槽、ごみを可溶化する好気可溶化槽若しくは微生物担体を充填した好気処理槽又はこれらの組み合わせからなることを特徴とする請求項７に記載のディスポーザ・排水処理システム。
【発明の詳細な説明】
【技術分野】
【０００１】
本発明は、住宅に設置するディスポーザ・排水処理システムに関し、特に複数階にそれぞれ台所を備える既設の集合住宅に設置するディスポーザ・排水処理システムに関する。
【背景技術】
【０００２】
従来、生ごみを台所に設置したディスポーザで破砕し、台所排水専用排水管を通して生ごみを含んだディスポーザ排水を処理装置に流入させ、ディスポーザ排水を浄化処理して公共下水道等に放流するディスポーザ・排水処理システムが知られている。
このようなディスポーザ・排水処理システムは、生活の利便性向上と清潔な環境づくりに寄与することができ、普及が進んでいる。
複数階にそれぞれ台所を備える住宅、例えば集合住宅においては、特許文献１に記載の住宅用生ごみ・排水処理システムがある。
【０００３】
図３に示すように、住宅用生ごみ・排水処理システム１００は、集合住宅の建屋１０１の各住居１０２内の台所１０３には生ゴミを破砕するディスポーザ１０４が設置されている。
各住居１０２のディスポーザ１０４により破砕された生ゴミは台所１０３に流された水とともに支排水管１０５を通って、立て管である主排水管１０６に流入集合し浄化槽に流入する。
また、支排水管１０５のディスポーザ１０４との連結部１０７の上流側に排水源として洗濯機１０８の排水を収集し連結部１０７で支排水管１０５と連結し洗濯排水を支排水管１０５に流す支排水管１０９を設ける。
連結部１０７の上流側に設ける排水源としては、洗面所、風呂及び洗濯機又はこれらの組み合わせとしてもよい。
【特許文献１】特開平８−１１３６
【発明の開示】
【発明が解決しようとする課題】
【０００４】
しかしながら、ディスポーザ排水は破砕された生ごみが混ざっているので、トイレ排水を含まない洗面所、風呂及び洗濯機から出る排水並びに掃除排水からなる雑排水に比べて、排水管が詰まる可能性が高い。
したがって、ディスポーザ排水の影響で排水管が詰まった場合、洗面所、風呂及び洗濯機からの排水が流れる雑排水用の立て管とは独立したディスポーザ排水専用の立て管を設けることが望ましい。
しかし、既設の集合住宅では、パイプスペース等にディスポーザ排水専用の立て管を設ける空間の確保が困難であり、ディスポーザ・排水処理システムの導入が困難であるという問題があった。
さらに、特許文献１のシステムでは、立て管である主排水管１０６の管径に比べて、支排水管１０５の管径が短く、ディスポーザ排水は破砕された生ごみが含まれるため詰まる可能性が高い。
そのような支排水管１０５のディスポーザ１０４との連結部１０７の上流側に排水源を設けた場合、支排水管１０５の連結部１０７で詰まりが生じると、連結部１０７の上流では排水が出来なくなるため、排水源設備である洗面所、風呂及び洗濯機が使用できなくなるという問題がある。
【０００５】
上記点より本発明は、ディスポーザ排水専用の立て管を設けることなく既設の集合住宅にディスポーザ・排水処理システムを導入することができ、ディスポーザ排水が流れる排水管が詰まったことによって他の排水源設備が使用できなくなる可能性を低下させることができるディスポーザ・排水処理システムを提供することを目的とする。
【課題を解決するための手段】
【０００６】
上記課題を解決するため、請求項１のディスポーザ・排水処理システムは、洗面所、風呂及び洗濯機から出る排水並びに掃除排水からなる雑排水が上から下へと流れる雑排水用主立て管を備える既設の集合住宅において、各住宅は、一端が洗面所、風呂及び洗濯機並びに掃除排水の排水溝に接続され、他端が雑排水用主立て管に接続されており、雑排水が流れる雑排水用枝管と、一端が台所に設置され生ごみを破砕するディスポーザに接続され、他端が雑排水用主立て管に接続されており、ディスポーザ排水が流れるディスポーザ排水用枝管とを備え、雑排水用主立て管の終端部から延出する横主管が接続する処理装置で、流入したディスポーザ排水及び雑排水を浄化処理するようになっている。
【０００７】
請求項２のディスポーザ・排水処理システムは、ディスポーザ排水用枝管が雑排水用枝管とは独立して雑排水用主立て管に接続されている。
【０００８】
請求項３のディスポーザ・排水処理システムは、洗面所、風呂及び洗濯機から出る排水並びに掃除排水からなる雑排水が上から下へと流れる雑排水用主立て管を備える既設の集合住宅において、各住宅は、一端が洗面所、風呂及び洗濯機並びに掃除排水の排水溝に接続され、他端が雑排水用主立て管に接続されており、雑排水が流れる雑排水用枝管と、一端が台所に設置され生ごみを破砕するディスポーザに接続され、他端が雑排水用枝管に接続されており、ディスポーザ排水が流れるディスポーザ排水用枝管とを備え、雑排水用主立て管の終端部から延出する横主管が接続する処理装置で、流入したディスポーザ排水及び雑排水を浄化処理するようになっている。
【０００９】
請求項４のディスポーザ・排水処理システムは、雑排水用主立て管の管径が雑排水用枝管及びディスポーザ排水用枝管の管径より長くなっている。
【００１０】
請求項５のディスポーザ・排水処理システムは、トイレ排水管に処理装置の処理排水管が接続されており、処理装置で処理された処理排水はトイレ排水管でトイレ排水と合流し、さらに処理排水とトイレ排水は公共下水道又は処理浄化槽へ放流されるようになっている。
【００１１】
請求項６のディスポーザ・排水処理システムは、処理装置が流入してきたディスポーザ排水及び雑排水を貯留し、ポンプで送り出す流入ポンプ槽と、破砕された生ごみをディスポーザ排水及び雑排水から分離する除塵機及び／又は油脂をディスポーザ排水及び雑排水から分離する油脂分離槽と、ディスポーザ排水及び雑排水を浄化する排水処理槽とを有する。
【００１２】
請求項７のディスポーザ・排水処理システムは、処理装置が除塵機で分離したごみ及び／又は油脂分離槽で分離した油脂分を貯蔵又は処理するごみ・油脂分処理機をさらに有し、貯蔵又は処理されたごみ及び／又油脂分をディスポーザ・排水処理システム外に搬出できるようになっている。
【００１３】
請求項８のディスポーザ・排水処理システムは、ごみ・油脂分処理機が濃縮槽、貯留槽、脱水機、微生物が棲息する多孔質の木片を充填した微生物分解槽、ごみを可溶化する好気可溶化槽若しくは微生物担体を充填した好気処理槽又はこれらの組み合わせからなる。
【発明の効果】
【００１４】
請求項１のディスポーザ・排水処理システムによれば、既設の雑排水用主立て管にディスポーザ排水を流すことができるので、ディスポーザ排水専用の立て管を新たに設ける必要がない。
したがって、パイプスペース等にディスポーザ排水専用に立て管を設けることができない既設の集合住宅にもディスポーザ・排水処理システムを導入することができる。
【００１５】
請求項２のディスポーザ・排水処理システムによれば、ディスポーザ排水用枝管は、雑排水用枝管とは独立して雑排水用主立て管に接続されている。
したがって、たとえ、ディスポーザ排水用枝管が詰まっても、雑排水用枝管は排水が可能なので、洗面所、風呂及び洗濯機等の使用が出来なくなることがない。
【００１６】
請求項３のディスポーザ・排水処理システムによれば、雑排水用枝管の詰まる可能性が低い場合は、ディスポーザ排水用枝管を雑排水用枝管に接続することができる。
したがって、パイプスペース等にディスポーザ排水専用に立て管を設けることができない既設の集合住宅にもディスポーザ・排水処理システムを導入することができる。
【００１７】
請求項４のディスポーザ・排水処理システムによれば、雑排水用主立て管は、排水が上から下へと流れるとともに、雑排水用主立て管の管径がディスポーザ排水用枝管及び雑排水用枝管の管径より長いので、ディスポーザ排水が合流する部分で、雑排水用主立て管が詰まる可能性を低下させることができる。
【００１８】
請求項５のディスポーザ・排水処理システムによれば、トイレ排水管に処理装置の処理排水管が接続されており、処理排水がトイレ排水と合流して公共下水道又は処理浄化槽へ放流されるので、既設の集合住宅の排水処理設備を有効活用することができる。
【００１９】
請求項６のディスポーザ・排水処理システムによれば、処理装置が流入ポンプ槽と、除塵機及び／又は油脂分離槽と、排水処理槽とを有することによって、ディスポーザ排水及び雑排水を公共下水道の下水排除基準に適合するまで浄化処理することができる。
【００２０】
請求項７のディスポーザ・排水処理システムによれば、各住居の台所から離れた位置にある処理装置から貯蔵又は処理されたごみ及び／又油脂分をディスポーザ・排水処理システム外に一括して搬出することができるので、食べ物を扱う台所を清潔に維持することができる。
【００２１】
請求項８のディスポーザ・排水処理システムによれば、既設の住宅の状況に応じて、ごみ・油脂分処理機の構成を任意に変えることができる。
【発明を実施するための最良の形態】
【００２２】
以下、本発明の一実施形態について図面に基づいて説明する。
図１は、本発明の一実施形態であるディスポーザ・排水処理システム１の概略図である。
図２は、処理装置７における処理工程を示すブロック図である。
【００２３】
本実施形態のディスポーザ・排水処理システム１は、複数の住居３を有する既設の集合住宅２に設置される。
集合住宅２は、複数階にそれぞれ台所３６を備えている。
集合住宅２は、トイレ排水を含まない洗面所３１、風呂３２及び洗濯機３３の排水並びに掃除排水の排水口３４からの排水からなる雑排水が上から下へと流れる雑排水用主立て管４１を備える。
同様に集合住宅２は、トイレ３５から出るトイレ排水が上から下へと流れ、トイレ排水管５の一部であるトイレ排水用立て管５１を備える。
雑排水用主立て管４１及びトイレ排水用立て管５１は、パイプスペース６内に設置されている。
【００２４】
各住居３では、一端が洗面所３１、風呂３２、及び洗濯機３３の排水並びに掃除排水の排水口３４に接続され、他端が雑排水用主立て管４１に接続されており、雑排水が流れる雑排水用枝管４２と、一端が台所３６に設置され生ごみを破砕するディスポーザ３７に接続され、他端が雑排水用主立て管４１に接続されており、ディスポーザ排水が流れるディスポーザ排水用枝管４３とを備える。
【００２５】
本実施形態では、既設の雑排水用主立て管４１にディスポーザ排水を流すことができるので、ディスポーザ排水専用の立て管を新たに設ける必要がない。
したがって、パイプスペース６等にディスポーザ排水専用立て管を設けることができない既設の集合住宅２にもディスポーザ・排水処理システム１を導入することができる。
【００２６】
雑排水とディスポーザ排水は雑排水用主立て管４１で合流するようになっている。
雑排水用主立て管４１の管径は、雑排水用枝管４２及びディスポーザ排水用枝管４３の管径より長くなっている。
【００２７】
雑排水用主立て管４１は、排水が上から下へと流れるとともに、雑排水用主立て管４１の管径が雑排水用枝管４２及びディスポーザ排水用枝管４３の管径より長いので、ディスポーザ排水が合流する部分で、雑排水用主立て管４１が詰まる可能性を低下させることができる。
【００２８】
また、ディスポーザ排水用枝管４３は、雑排水用枝管４２とは独立して雑排水用主立て管４１に接続されている。
たとえ、ディスポーザ排水用枝管４３が詰まっても、雑排水用枝管４２は排水が可能なので、洗面所３１、風呂３２及び洗濯機３３等の使用が出来なくなることがない。
【００２９】
処理装置７は、雑排水用主立て管４１の終端部から延出する横主管４４が接続する。
雑排水用主立て管４１で合流した雑排水とディスポーザ排水は、処理装置７に流入するようになっている。
【００３０】
さらに、本実施形態では、トイレ排水管５に処理装置７の処理排水管７５が接続されており、処理装置７で処理された処理排水はトイレ排水管５でトイレ排水と合流する。
さらに合流した処理排水とトイレ排水は公共下水道８へ放流される。
本実施形態では、合流した処理排水とトイレ排水は、公共下水道８へ放流されているが、これに限定されることなく、例えば、合流した処理排水とトイレ排水は合併処理浄化槽に放流されてもよい。
処理装置７で処理された処理排水は、トイレ排水と合流して公共下水道８又は処理浄化槽へ放流されるので、既設の集合住宅２の排水処理設備を有効活用することができる。
【００３１】
処理装置７は、横主管４４から流入してきたディスポーザ排水及び雑排水を貯留し、ポンプ７１Ａで送り出す流入ポンプ槽７１と、破砕された生ごみをディスポーザ排水及び雑排水から分離するスクリーンを備える除塵機７２と、油脂をディスポーザ排水及び雑排水から分離する油脂分離槽７３と、ディスポーザ排水及び雑排水を浄化する排水処理槽７４とを有する。
【００３２】
以下、図２を参照して、処理装置７における処理工程を詳細に説明する。
矢印９１〜９９は、排水等の流れを示す。
横主管４４から流入してきたディスポーザ排水及び雑排水（矢印９１）は、流入ポンプ槽７１で曝気されたあと、ポンプ７１Ａ（図１参照）によって除塵機７２に送られる（矢印９２）。
除塵機７２は３ｍｍ目スクリーン（図示せず）が備えられており、ディスポーザ排水及び雑排水に含まれる浮遊物質（以下、「ＳＳ」とする）を主に除去することができる。
除塵機７２はＳＳ以外にも、生物化学的酸素量（以下、「ＢＯＤ」とする）及びノルマルヘキサン抽出物（以下、「ｎ−Ｈｅｘ」とする）等を減らすことができるようになっている。
除塵機７２でＳＳ等が除去された第一処理水は油脂分離槽７３に送られる（矢印９３）。
また、３ｍｍ目スクリーンで除去されたＳＳ等は排水処理槽７４に送られる（矢印９４）。
【００３３】
油脂分離槽７３は、浮上油脂を回収するスクレーバや、油脂膜を吸引するノズルが備えられており、第一処理水に含まれるｎ−Ｈｅｘを主に除去することができる。
油脂分離槽７３で充分にＳＳ等の項目の値が下水排除基準を下回った場合、処理排水として処理排水管７５を通ってトイレ排水管５に送られる（矢印９５）。
油脂分離槽７３では、第一処理水の浮上油脂や油脂膜を回収し排水処理槽７４に送られるようになっている（矢印９６）。
さらに油脂分離槽７３でＳＳ等の項目の値が下水排除基準を上回った場合、第二処理水として排水処理槽７４に送られるようになっている（矢印９７）。
排水処理槽７４で除塵機７２及び油脂分離槽７３で除去されたＳＳ等は第二処理水に混合される。
【００３４】
排水処理槽７４に送られた第二処理水は、まず無機分離槽に入る。
無機分離槽では、比重の大きい無機固形物を分離・貯留する。
無機分離槽は、散気装置が備えられており、無機分離槽内に散気装置から気泡を放出することによって、無機分離槽にエアリフト水流が発生し効率よく無機固形物を分離することができる。
【００３５】
第二処理水は、次いで好気可溶化槽に入る（矢印９７Ａ）。
好気可溶化槽は、水中ポンプが備えられており、曝気旋回流によって第二処理水を曝気・撹拌し、第二処理水に含まれる固体物を可溶化する。
【００３６】
第二処理水は、次いで好気ろ床層に入る（矢印９７Ｂ）。
好気ろ床層は、水中ポンプ及び微生物担体が備えられている。
好気ろ床層では、微生物担体に多種類の好気性微生物が棲息しており、これらの好気性微生物は第二処理水の溶存酸素を消費して可溶化された第二処理水を浄化する。
【００３７】
微生物浄化された第二処理水は、次いで沈殿槽に入る（矢印９７Ｃ）。
沈殿槽では、剥離汚泥を分離し上澄水を再び流入ポンプ槽７１に送る（矢印９８）。
【００３８】
一連の流入ポンプ槽７１、除塵機７２、油脂分離槽７３、排水処理槽７４という処理作業を繰り返し行うことによって、ディスポーザ排水及び雑排水が浄化される。
油脂分離槽７３で充分にＳＳ等の項目の値が下水排除基準を下回った場合、処理排水として処理排水管７５を通ってトイレ排水管５に送られる（矢印９５）。
【００３９】
処理装置７が流入ポンプ槽７１と除塵機７２と油脂分離槽７３と排水処理槽７４とを有することによって、ディスポーザ排水及び雑排水を公共下水道８の下水排除基準に適合するまで浄化処理することができる。
【００４０】
図２に示すように、処理装置７は、除塵機７２で分離したごみ及び油脂分離槽７３で分離した油脂分を貯蔵又は処理するごみ・油脂分処理機７６をさらに有する（矢印９９Ａ、９９Ｂ）。
処理装置７は定期的にメンテナンスが行われ、その際に貯蔵又は処理されたごみ及び油脂分をディスポーザ・排水処理システムの外に搬出することができる（矢印９９Ｃ）。
【００４１】
各住居３の台所３６から離れた位置にある処理装置７から貯蔵又は処理されたごみ及び／又油脂分をディスポーザ・排水処理システム外に一括して搬出することができるので、食べ物を扱う台所３６を清潔に維持することができる。
【００４２】
図３は、本発明の別の実施形態のディスポーザ・排水処理システム1の概略図である。
図１と共通する符号の説明は省略し、以下図１の実施形態との相違点について説明する。
この別の実施形態では、ディスポーザ排水用枝管４３は、一端が台所３６に設置され生ごみを破砕するディスポーザ３７に接続され、他端が雑排水用枝管４２に接続されている。
ディスポーザ排水は、雑排水用枝管４２で雑排水と合流し、雑排水用主立て管４１に流入するようになっている。
【００４３】
雑排水用枝管４２の詰まる可能性が低い場合は、ディスポーザ排水用枝管４３を雑排水用枝管４２に接続することができる。
したがって、パイプスペース６等にディスポーザ排水専用に立て管を設けることができない既設の集合住宅２にもディスポーザ・排水処理システム１を導入することができる。
【００４４】
ごみ・油脂分処理機７６は、例えば、濃縮槽、貯留槽、脱水機、微生物が棲息する多孔質の木片を充填した微生物分解槽、ごみを可溶化する好気可溶化槽若しくは微生物担体を充填した好気処理槽又はこれらの組み合わせからなるものであってもよい。
既設の集合住宅２の状況に応じて、ごみ・油脂分処理機７６の構成を変えることができる。
【００４５】
本実施形態では、処理装置７で処理された処理排水がトイレ排水と合流し、公共下水道８に放流される場合について説明したが、これ限定されることなく、処理排水及びトイレ排水が合併処理浄化槽に放流されてもよい。
【００４６】
また、本実施形態では、処理装置７が流入ポンプ槽７１と除塵機７２と油脂分離槽７３と排水処理槽７４とから構成される場合について説明したが、これに限定されることなく、ディスポーザ排水及び雑排水を処理して、処理排水が下水排除基準を下回るものであれば、処理装置の構成を変更してもよい。
また、本実施形態では、既設の集合住宅２にディスポーザ・排水処理システム１を設置する場合について説明したが、これに限定されることなく、例えば新築のマンション等の新設の集合住宅や一戸建ての住宅にディスポーザ・排水処理システムを設置してもよい。
【図面の簡単な説明】
【００４７】
【図１】本発明の一実施形態であるディスポーザ・排水処理システム1の概略図である。
【図２】処理装置７における処理工程を示すブロック図である。
【図３】本発明の別の実施形態であるディスポーザ・排水処理システム1の概略図である。
【図４】従来の住宅用生ごみ・排水処理システム１００の概略図である。
【符号の説明】
【００４８】
１          ディスポーザ・排水処理システム
２          集合住宅
３          住居
５          トイレ排水管
６          パイプスペース
７          処理装置
８          公共下水道
３１        洗面所
３２        風呂
３３        洗濯機
３４        排水口
３５        トイレ
３６        台所
３７        ディスポーザ
４１        雑排水用主立て管
４２        雑排水用枝管
４３        ディスポーザ排水用枝管
４４        横主管
５１        トイレ排水用立て管
７１        流入ポンプ槽
７１Ａ      ポンプ
７２        除塵機
７３        油脂分離槽
７４        排水処理槽
７５        処理排水管
７６        ごみ・油脂分処理機
９１〜９９  排水等の流れ
１００      住宅用生ごみ・排水処理システム
１０１      建屋
１０２      住居
１０３      台所
１０４      ディスポーザ
１０５      支排水管
１０６      主排水管
１０７      連結部
１０８      洗濯機
１０９      支排水管
【図１】
2009189917.tif 000003
【図２】
2009189917.tif 000004
【図３】
2009189917.tif 000005
【図４】
2009189917.tif 000006